(57)【要約】【課題】  入力装置とマイクユニットの断線及び短絡を制御ラインを使用せずに検出する。【解決手段】  入力装置２−１とマイクユニット１４−１とが、音声ライン１６−２を含むケーブル１６を介して接続されている。入力装置２−１における音声ライン１６−２の端末に所定の直流電圧が発生するように直流電源を接続し、入力装置２−１において、前記直流電圧の絶対値が、予め設定した第１の設定値の絶対値よりも大きいか、第１の設定値よりも絶対値を小さく設定した第２の設定値の絶対値よりも小さいか比較器３８、４０、４２及び判定回路５０が判定する。【選択図】        図３
2008072657.tif 000002
【特許請求の範囲】
【請求項１】
入力装置とマイクユニットとが、音声ラインを含むケーブルを介して接続され、
前記入力装置における前記音声ラインの端末に所定の直流電圧が発生するように直流電源を前記入力装置において前記音声ラインに接続し、前記入力装置において、前記直流電圧の絶対値が、予め設定した第１の設定値の絶対値よりも大きいか、第１の設定値よりも絶対値を小さく設定した第２の設定値の絶対値よりも小さいか判定手段が判定する放送装置。
【請求項２】
請求項１記載の放送装置において、前記マイクユニット内における前記音声ラインの端部に、絶対値が前記第１及び第２の設定値の絶対値の間にある第３の設定値と第１の設定値または第２の設定値との間の値に前記直流電圧を変化可能な電圧変化手段を設け、前記判定手段によって、前記直流電圧の絶対値が第１の設定値の絶対値と第３の設定値の絶対値との間にあるか第２の設定値の絶対値と第３の設定値の絶対値との間にあるか判定する放送装置。
【請求項３】
請求項２記載の放送装置において、前記ケーブルには、制御ラインが含まれ、この制御ラインによる制御不能時に、前記電圧変化手段を作動させる放送装置。
【請求項４】
請求項１乃至３いずれか記載の放送装置において、前記マイクユニットが複数並列に前記入力装置に接続されている放送装置。
【発明の詳細な説明】
【技術分野】
【０００１】
本発明は、マイクユニットからの音声信号を入力装置に供給し、入力装置から放送する放送装置に関し、特にマイクユニットと入力装置との接続の検査に関する。
【背景技術】
【０００２】
従来、放送装置における接続ラインの検査装置としては、例えば特許文献１に開示されているようなものがある。この特許文献１の技術では、検査時に、放送装置本体から遠隔操作器に接続されたモニタラインに、放送装置本体から検査信号が供給される。同時に、放送装置本体から遠隔操作器に接続された制御ラインを介して制御信号が供給される。これに応じて遠隔操作機内の切換スイッチが、遠隔操作器から放送装置に接続されているマイクロホンラインと前記モニタラインとを接続する。これによって、モニタラインまたはマイクロホンラインに断線が生じていないと、検査信号がモニタライン、切換スイッチ、マイクロホンラインに伝送される。放送装置本体内では、検出回路においてマイクロホンラインから検査信号を検出することができるか否か判定する。検査信号を検出できれば、断線は生じていないと判定でき、検出できなければ断線が生じていると判定できる。
【０００３】
【特許文献１】特開２００１−４５５９８号公報
【発明の開示】
【発明が解決しようとする課題】
【０００４】
しかし、特許文献１に開示された技術では、検査信号の有無を検出しているので、断線の検出は行えるが、短絡時には検査信号は検出回路に供給されるので、短絡の検出を行うことはできない。また、切換スイッチを切り換えるために制御ラインを使用しなければならない。
【０００５】
本発明は、制御ラインを使用せずに断線及び短絡を検出することができる放送装置を提供することを目的とする。
【課題を解決するための手段】
【０００６】
本発明の一態様による放送装置では、入力装置とマイクユニットとが、音声ラインを含むケーブルを介して接続されている。入力装置は、放送を行うためにスピーカラインに接続されたり、ネットワークに接続されたりする。音声ラインは、マイクユニットから入力装置に音声信号を伝送するものを少なくとも含み、これに加えて入力装置から、他の入力装置を介して放送されている音声信号をマイクユニットに伝送するためのものを含むこともある。入力装置における音声ラインの端末に所定の直流電圧が発生するように直流電源が前記入力装置において前記音声ラインに接続されている。直流電源が供給する電圧は、正負いずれであってもよい。入力装置において、前記直流電圧の絶対値が、予め設定した第１の設定値の絶対値よりも大きいか、第１の設定値よりも絶対値を小さく設定した第２の設定値の絶対値よりも小さいか判定手段が判定する。直流電源は、正の直流電圧を発生するものを使用することもできるし、負の直流電圧を発生するものを使用することもできる。いずれにしても、直流電圧の絶対値が、第１及び第２の設定値の絶対値よりも大きいか小さいか判定手段によって判定される。
【０００７】
このように構成された放送装置では、音声ラインに直流電圧を供給し、その直流電圧の絶対値が第１の設定値の絶対値よりも大きいとき、断線が生じていると判定でき、第１の設定値よりも絶対値が小さい第２の設定値の絶対値よりも直流電圧の絶対値が小さいとき、短絡が生じていると判定できる。このように、特別に制御用のラインを使用することなく、断線だけでなく短絡も検出することが、この放送装置では可能である。
【０００８】
前記マイクユニット内における前記音声ラインの端部に、絶対値が前記第１及び第２の設定値の絶対値の間にある第３の設定値よりも大きく第１の設定値よりも小さい値または第３の設定値よりも小さく第２の設定値よりも大きい値に前記直流電圧を変化可能な電圧変化手段を設けることができる。この場合、判定手段によって、前記直流電圧の絶対値が第３の設定値の絶対値よりも大きく第１の設定値の絶対値よりも小さいか或いは第３の設定値よりも小さく第２の設定値よりも大きい値か判定する。
【０００９】
このように構成することによって、断線及び短絡の検査に使用している音声ラインを利用して、マイクユニット側から入力装置側に制御信号を伝送することができる。
【００１０】
ケーブルには、制御ラインを含むことができる。この制御ラインによる制御不能時に、電圧変化手段を作動させる。これによって、制御ラインによる制御が不可能なときに、マイクユニットから入力装置に制御信号を伝送することができる。
【００１１】
上述したようないずれかの構成において、マイクユニットが複数並列に入力装置に接続されている。このように構成すると、いずれかのマイクユニットにおいて、断線や短絡が生じているか否かを少なくとも検出することができる。
【発明の効果】
【００１２】
以上のように、本発明によれば、音声信号の伝送に使用する音声ラインのみを用いて、音声ラインが含まれているケーブルの断線、短絡を検出することができる。
【発明を実施するための最良の形態】
【００１３】
本発明の第１の実施形態のネットワーク放送装置は、図１に示すように、ネットワーク放送装置であって、複数、例えばｎ台の入力装置２−１乃至２−ｎを有している。これら入力装置２−１乃至２−ｎは、ネットワーク、例えばスイッチングハブ（以下、ハブと称する。）４に接続されている。ハブ４は、複数台、例えばｍ台の出力装置６−１乃至６−ｍに接続されている。また、ハブ４には、制御手段、例えばシステムマネージャ８も接続されている。これら入力装置２−１乃至２−ｎ、出力装置６−１乃至６−ｍ、システムマネージャ８は、ハブ４を介して相互に通信可能である。
【００１４】
例えば、入力装置２−１から出力装置６−１に対して放送を行う場合、入力装置２−１は、ハブ４を介してシステムマネージャ８に、出力装置６−１に対する放送要求を送信する。この放送要求を受けたシステムマネージャ８は、出力装置６−１に対し、ハブ４を介して放送受信可能か問い合わせ、その回答が受信可能であれば、システムマネージャ８は、ハブ４を介して入力装置２−１に対して放送許可を与え、出力装置６−１に対して受信指示を与える。
【００１５】
入力装置２−１では、デジタル音声信号を、入力装置２−ｎから入力装置２−１までハブ４を介して順に伝送されているパケット信号の予めシステムマネージャ８によって指定されたブロックに配置し、ハブ４を介してマルチキャストで各出力装置６−１乃至６−ｍに送信する。出力装置６−１は、マルチキャストで受信したパケット信号中の、システムマネージャ８によって指定されたブロックからデジタル音声信号を抽出し、アナログ音声信号に復元して、図示していないスピーカから拡声する。以下、同様に、パケット信号が伝送されてくる毎に、入力装置２−１からのデジタル音声信号を抽出し、拡声する。
【００１６】
このようなネットワークによる放送が停電等によって行えない場合に、例えば緊急放送等を行うために、各入力装置２−１乃至２−ｎ、システムマネージャ８、出力装置６−１乃至６−ｍは、アナログケーブル１０によって縦続接続されている。例えば入力装置２−１からのアナログ音声信号は、各入力装置２−２乃至２−ｎ、システムマネージャ８を順に経て、出力装置６−１乃至６−ｍに供給され、各出力装置６−１乃至６−ｍのスピーカから拡声される。
【００１７】
各入力装置２−１乃至２−ｎでは、例えば入力装置２−１を代表として図２に示すと、デジタル音声信号の音源として、複数台、例えば４台のマイクユニット１２−１乃至１２−４が、入力装置２−１に接続されている。
【００１８】
この接続は、４本のラインが一体に形成されたケーブル１６を介して行われる。このケーブル１６中には、各マイクユニット１４−１乃至１４−４のマイク１８−１乃至１８−４の音声信号を入力装置２−１に伝送する音声出力ライン１６−１が含まれている。更に、ケーブル１６には、他の入力装置からの音声信号を入力装置２−１を介して各マイクユニット１４−１乃至１４−４のスピーカ２０−１乃至２０−４に伝送する音声入力ライン１６−２が含まれている。入力装置２−１が含む制御手段、例えばＣＰＵ（図示せず）から、各マイクユニット１４−１乃至１４−４がそれぞれ備える制御手段、例えばＣＰＵ（図示せず）へ、制御信号を伝送するための制御ライン１６−３と、入力装置２−１から各マイクユニット１４−１乃至１４−４に動作電力を供給するための電源ライン１６−４も、ケーブル１６内には含まれている。このケーブル１６が途中でそれぞれ分岐されて、各入力装置１４−１乃至１４−４に接続されている。
【００１９】
図３に示すように、入力装置２−１では、コンデンサ２２を介して他の入力装置からのアナログ音声信号が音声入力ライン１６−２に供給される。各マイクユニット１４−１乃至１４−４では、コンデンサ２４−１乃至２４−４を介して音声入力ライン１６−２から音声信号を抽出し、スピーカ２０−１乃至２０−４に供給する。
【００２０】
入力装置２−１では、図示しない直流電源から抵抗器２６を介して直流電圧、例えば＋１２Ｖの直流電圧が音声入力ライン１６−２に供給されている。各マイクユニット１４−１乃至１４−４では、音声入力ライン１６−２と基準電位線、例えば接地電位線２８との間に、電圧変化手段、例えば可変抵抗部３０−１乃至３０−４が設けられている。可変抵抗部３０−１乃至３０−４は、２つの抵抗器３２−１乃至３２−４と３４−１乃至３４−４との直列回路を、音声入力ライン１６−２と接地電位線２８との間に直列に接続している。抵抗器３２−１乃至３２−４が音声入力ライン１６−２側に位置し、抵抗器３４−１乃至３４−４が接地電位線２８側に位置している。接地側の抵抗器３４−１乃至３４−４に並列に開閉スイッチ３６−１乃至３６−４が接続されている。これら開閉スイッチ３６−１乃至３６−４は、何らかの原因でハブ４を介してデジタル放送が行えない場合に、上述したアナログケーブル１０を介して緊急放送を行うとするときに、使用者によって閉じられる。
【００２１】
入力装置２−１では、音声出力ライン１６−２と接地電位線２８との間の直流電圧Ｖが、判定手段、例えば比較器３８、４０、４２に供給されている。なお、抵抗器２６、抵抗器３２−１乃至３２−４、３４−１乃至３４−４の抵抗値は、全ての開閉スイッチ３４−１乃至３４−４が開放された状態で、直流電圧Ｖが例えば９Ｖ以下になるように設定され、抵抗器２６、抵抗器３２−１乃至３２−４、３４−１乃至３４−４の抵抗値は、開閉スイッチ３４−１乃至３４−４のいずれかが閉じられたとき、上記直流電圧Ｖが、例えば６Ｖ以下で＋３Ｖ以上になるように設定されている。
【００２２】
比較器３８には、基準電圧源４４から第１の設定値、例えば＋９Ｖの直流電圧が供給され、比較器３８は、直流電圧Ｖが＋９Ｖ以上のとき、第１の状態の信号、例えばＨレベルの信号を発生し、＋９Ｖより小さいとき、第２の状態の信号、例えばＬレベルの信号を発生する。比較器４０には、基準電圧源４６から第３の設定値、例えば＋６Ｖの直流電圧が供給され、比較器４０は、直流電圧Ｖが＋６Ｖ以上のとき、第１の状態の信号、例えばＨレベルの信号を発生し、＋６Ｖよりも小さいとき、第２の状態の信号、例えばＬレベルの信号Ｌレベルの信号を発生する。比較器４２には直流電圧源４８から第２の設定値、例えば＋３Ｖの電圧が供給され、比較器４２は、直流電圧Ｖが＋３Ｖ以上のとき、第１の状態の信号、例えばＨレベルの信号を発生し、＋３Ｖよりも小さいとき、第２の状態の信号、例えばＬレベルの信号を発生する。
【００２３】
これら比較器３８、４０、４２の出力は、判定手段、例えば判別回路５０に供給される。例えば音声入力ライン１６−２で断線が生じていると、直流電圧Ｖの値は、直流電源からの電圧である＋１２Ｖとなる。その結果、比較器３８、４０、４２の出力は全てＨレベルとなる。これに応じて、判別回路５０は音声入力ライン１６−２に断線が生じていると判断する。また、音声入力ライン１６−２が正常に各マイクユニット１４−１乃至１４−４に接続されていると、上述したように直流電圧Ｖは＋９Ｖよりも小さい値であって、＋６Ｖよりも大きい値である。従って、比較器３８の出力はＬレベルであるが、比較器４０、４２の出力はＨレベルである。これに応じて、判別回路５０は、音声入力ライン１６−２が正常に各マイクユニット１４−１乃至１４−４に接続されていると判断する。また、各開閉スイッチ３６−１乃至３６−４のうちいずれかが閉じられていると、直流電圧Ｖの値は上述したように＋６Ｖより小さいが、＋３Ｖ以上である。従って、比較器３８、４０の出力はＬレベルであるが、比較器４２の出力はＨレベルである。これによって判別回路５０は、緊急放送が行われると判断する。また、音声入力ライン１６−２が短絡していると、直流電圧Ｖの値は０Ｖとなり、＋３Ｖよりも小さい値となる。従って、比較器３８、４０、４２はＬレベルの出力を発生する。これによって判別回路５０は、短絡が生じていると判断する。
【００２４】
音声入力ライン１６−２はケーブル１６内に設けられているものであるので、音声入力ライン１６−２が断線または短絡している場合、ケーブル１６内の他のラインにおいても断線や短絡が生じている可能性があり、ケーブル１６の変更の必要がある。この短絡または断線との判定結果は、入力装置２−１に設けた報知手段、例えば断線及び短絡にそれぞれ対応して設けた発光素子を発光させることによって使用者に報知されたり、図示していない電源接続回路によって電源ライン１６−４からの電源供給を停止する。また、正常に接続されていることも同様な発光素子によって報知しても良い。
【００２５】
また、緊急放送の指示が与えられていることが判定回路５０から報知されると、入力装置２−１では、音声出力ライン１６−１を、図１に示すアナログケーブル１０に供給する。アナログケーブル１０は、音声ラインと制御ラインとを含み、その音声ラインに音声出力ライン１６が接続され、いずれかのマイクユニットからのアナログ音声信号が伝送される。また、このアナログケーブル１０中の制御ラインに緊急放送の指示を表す制御信号が供給される。このように音声信号と制御信号とが順に他の入力装置間を伝送され、更にシステムマネージャ８を介して各出力装置６−１乃至６−ｍに伝送される。制御信号が供給された各出力装置では、アナログケーブル１０の音声ラインを伝送された音声信号をスピーカから拡声できるようにスピーカを切り換える。
【００２６】
この放送装置では、入力装置２−１と各マイクユニットとを接続しているケーブル１６中の音声出力ライン１６−２に直流電圧を重畳し、その電圧の変化を入力装置２−１によって検出することによって、ケーブル１６の断線、短絡、正常接続及び緊急放送指示が行われているかを判断している。従って、これらの検出用のラインを入力装置２−１から各マイクユニット１４−１乃至１４−４に敷設する必要はない。また、各マイクユニット１４−１乃至１４−４に音声信号を供給する音声出力ライン１６−２を利用しているので、例えば開閉スイッチ３６−１乃至３６−４を操作したときに、クリック音が発生したとしても、各マイクユニット１４−１乃至１４−４のスピーカ２０−１乃至２０−４に供給されるだけであるので、放送に影響はない。例えば音声入力ライン１６−１を利用して断線、短絡、正常接続及び緊急放送指示が行われているかを判断するようにすることもできるが、この場合、上述したように開閉スイッチ３６−１乃至３６−４を操作したときに発生したクリック音は、アナログケーブル１０を介して各出力装置６−１乃至６−ｍに伝送されるので、望ましくない。
【００２７】
入力装置２−１とマイクユニット１４−１乃至１４−４について説明を行ったが、他の入力装置とそれに接続されるマイクユニットとにおいても同様に構成されている。
【００２８】
本発明の第２の実施形態のネットワーク放送装置を図４に示す。このネットワーク放送装置では、入力装置２−１では、図示しない直流電源から抵抗器２６を介して直流電圧、例えば−１２Ｖの直流電圧が音声入力ライン１６−２に供給されている。各マイクユニット１４−１の可変抵抗部３０−１ａは音声入力ライン１６−２と設置電位との間に接続された抵抗器３２−１ａと、これに並列に接続された抵抗器３４−１ａと開閉スイッチ３６−１との直列回路とから構成されている。図示していないが、他のマイクユニットの１４−２乃至１４−４の可変抵抗部３０−２ａ乃至３０−４ａも同様に構成されている。可変抵抗部３０−２ａ乃至３０−４ａにおいて抵抗器３２−１ａに相当する抵抗器を抵抗器３２−２ａ乃至３２−４ａと称し、同抵抗器３４−１ａに相当する抵抗器を抵抗器３４−２ａ乃至３４−４ａと称し、同開閉スイッチ３６−１に相当する開閉スイッチを開閉スイッチ３６−２乃至３６−４と称する。なお、図４では、音声入力ライン１６−２への音声の入力用のコンデンサとマイクユニット１４−１における音声取り出し用のコンデンサとは図示を省略してある。
【００２９】
入力装置２−１では、音声出力ライン１６−２と接地電位との間の直流電圧Ｖが、判定手段、例えば比較器３８ａ、４０ａ、４２ａに供給されている。なお、抵抗器２６、抵抗器３２−１ａ、３４−１ａの抵抗値は、全ての開閉スイッチ３４−１乃至３４−４が開放された状態で、直流電圧Ｖが例えば−９Ｖ以上になるように設定され、抵抗器２６、抵抗器３２−１ａ、３４−１ａの抵抗値は、開閉スイッチ３４−１乃至３４−４のいずれかが閉じられたとき、上記直流電圧Ｖが、例えば−６Ｖ以上で−３Ｖ以下になるように設定されている。
【００３０】
比較器３８ａには、基準電圧源４４ａから第１の設定値、例えば−９Ｖの直流電圧が供給され、比較器３８ａは、直流電圧Ｖが−９Ｖ以下のとき、第１の状態の信号、例えばＬレベルの信号を発生し、−９Ｖよりも大きいとき、第２の状態の信号、例えばハイインピーダンスの信号を発生する。比較器４２ａには直流電圧源４８ａから第２の設定値、例えば−３Ｖの電圧が供給され、比較器４２ａは、直流電圧Ｖが−３Ｖ以上のとき、第１の状態の信号、例えばＬレベルの信号を発生し、−３Ｖよりも小さいとき、第２の状態の信号、例えばハイインピーダンスの信号を発生する。比較器４０ａには、基準電圧源４６ａから第３の設定値、例えば−６Ｖの直流電圧が供給され、比較器４０ａは、直流電圧Ｖが−６Ｖ以上のとき、第１の状態の信号、例えばＬレベルの信号を発生し、−６Ｖよりも小さいとき、第２の状態の信号、例えばＨレベルの信号を発生する。
【００３１】
従って、音声入力ライン１６−２に断線が生じた場合、比較器３８ａがＬレベルの信号を発生し、断線が生じていないときハイインピーダンスの信号を発生する。音声入力ライン１６−２に短絡が生じた場合、比較器４２ａがLレベルの信号を発生し、短絡が発生していないとき、比較器４２ａがハイインピーダンスの信号を発生する。開閉スイッチ３６−１乃至３６−４のうちいずれかが閉じられたとき、比較器４０ａがＬレベルの信号を発生し、開閉スイッチ３６−１乃至３６−４のうちいずれも開かれているとき、比較器４０ａはＨレベルの信号を発生する。
【００３２】
比較器３８ａ、４２ａの出力信号は合成されているが、比較器３８ａ、４２ａはオープンコレクタ出力のものであるので、比較器３８ａ、４２ａのいずれかの出力がＬレベルのとき、その合成点の出力は、Ｌレベルである。判定回路５０ａの遅延回路５２に供給されている。遅延回路５２では、例えばコンデンサ５２ａと抵抗器５２ｂとの直列回路が＋Ｖの直流電源と接地電位点との間に接続され、コンデンサ５２ａと抵抗器５２ｂとの接続点が、抵抗器５２ｃを介して比較器３８ａ、４２ａに接続されている。
【００３３】
抵抗器５２ｂの抵抗値は、抵抗器５２ｃの抵抗値よりも格段に大きく設定されている。これらコンデンサ５２ａ、抵抗器５４ｂ、５４ｃによって充放電回路が構成されている。この充放電回路では、比較器３８ａ、４２ａの出力信号が共にハイインピーダンスのとき、即ち、短絡も断線も生じていない場合、抵抗器５２ｂの大きな抵抗値とコンデンサ５２ａの容量とで決まる大きな時定数で充電される。その結果、コンデンサ５２ａの両端間電圧の上昇は遅い。一方、比較器３８ａ、４２ａの出力信号のいずれかがＬレベルのとき、コンデンサ５２ａは、小さな値の抵抗器５２ｃとコンデンサ５２ａの容量で決まる小さな時定数で急速に放電される。
【００３４】
このコンデンサ５２ａの両端間電圧は、比較器５２ｄに供給されている。この比較器５２ｄには＋Ｖの直流電源と接地電位との間に直列に接続された２つの抵抗器５２ｅ、５２ｆによって決定された閾値が供給されている。この閾値は、＋Ｖに近い値、例えば＋Ｖの９０パーセントの値に設定されている。そして、比較器５２ｄは、コンデンサ５２ａの両端間電圧が閾値よりも小さいとき第１の状態、例えばＬレベルの信号を発生し、閾値以上のとき第２の状態、例えばＨレベルの信号を発生する。従って、このネットワーク放送装置に電源が供給され、＋Ｖの電圧が発生して間もないころは、断線または短絡が検出されていなくても、比較器５２ｄの出力信号はＨレベルであり、或る程度の時間が経過したとき、初めてＬレベルとなる。
【００３５】
比較器５２ｄの出力信号は、電源ライン１６−４への電源供給を制御する電源接続部５４に供給されている。電源接続部５４は、遅延回路５２からＬレベルの出力信号が供給されている期間、電源ライン１６−４への電源を供給し、Ｈレベルの期間、電源供給を停止する。従って、この放送装置への電源が供給された後、或る程度の時間が経過してから、電源ライン１６−４への電源供給が行われる。一方、この放送装置への電源供給が行われて或る程度の時間が経過した後、断線または短絡が検出されると、比較器５２ｄの出力は、その検出からごくわずかな時間遅れでＨレベルとなる。その結果、断線または短絡が検出されてからわずかな時間の経過後に、電源ライン１６−４への電源供給が絶たれる。
【００３６】
一方、比較器５２ｄの出力信号はナンドゲート５８に供給されている。このナンドゲート５８には比較器４０ａの出力信号も遅延回路５６を介して供給されている。この遅延回路５６の遅延時間は、抵抗器５２ｂとコンデンサ５２ａとによって決まる充電時定数よりもかなり小さいが、コンデンサ５２ａと抵抗器５２ｃによって決まる放電時定数よりも大きい。開閉スイッチ３６−１乃至３６−４のうちいずれかが閉じられたときに、比較器４０ａの出力信号がＬレベルであり、このとき、短絡または断線が生じていなければ、アンドゲート５８には、比較器５２ｄ、遅延回路５６ａから共にＬレベルの信号が供給され、アンドゲート５８の出力信号はＨレベルとなり、このＨレベルの信号が緊急放送が行われる旨を表す制御信号として、入力装置２−１のＣＰＵに供給される。
【００３７】
入力装置２−１とマイクユニット１４−１乃至１４−４について説明を行ったが、他の入力装置とそれに接続されるマイクユニットとにおいても同様に構成されている。
【００３８】
このように遅延回路５２を使用しているので、音声入力ライン１６−２のラインの容量成分が充電される際に瞬間的に大きな直流電流が流れても、マイクユニットへの電源を誤動作で遮断することがないし、配線が短絡された場合に、短絡検知前に緊急状態と誤判断してシステムを緊急状態に切り換えてしまうことを防止できるし、配線をコネクタに接続したときら亜種電流が流れることによる接点の劣化を防止でき、放送装置に電源を投入した立ち上がり時には、マイクユニットへの電源をオンさせないことができる。これによって、放送装置に電源を投入した立ち上がり時に、誤った機器が接続されていたり、配線が短絡していた場合、接続と誤判断して電源を供給することを防止できる。
【００３９】
上記の実施形態では、入力装置を複数のマイクユニットに接続したが、少なくとも１台のマイクユニットに接続すればよい。また、上記の実施形態では、開閉スイッチ３６−１乃至３６−４を設けて、制御信号を入力装置２−１に伝送可能としたが、場合には、開閉スイッチ３６−１乃至３６−４を除去して、断線及び短絡のみを検出するように構成することもできる。また、上記の実施形態では、ネットワーク放送装置に本発明を実施したが、各入力装置と各出力装置との間にマトリクス回路を設けて、マトリクス回路によって放送するために選択された入力装置と出力装置とを接続するように構成することもできる。上記の２つの実施形態では、開閉スイッチ３６−１乃至３６−４を緊急放送を行う場合に閉じるように構成したが、逆に、緊急放送が不要なときに開閉スイッチ３６−１乃至３６−４を閉じておいて緊急放送が必要なときに開閉スイッチ３６−１乃至３６−４を開くように構成することもできる。この場合、第１の実施形態における比較器４０への基準電源４６の電圧と直流電圧Ｖとが供給される入力端子と逆にする。第２の実施形態においても、比較器４０aへの基準電源４６aの電圧と直流電圧Ｖとが供給される入力端子を逆にする。
【図面の簡単な説明】
【００４０】
【図１】本発明の第１実施形態の放送装置のブロック図である。
【図２】図１の放送装置における入力装置と各マイクユニットとの接続図である。
【図３】図２の入力装置と各マイクユニットとの音声出力ラインを介しての接続を示す図である。
【図４】本発明の第２実施形態の放送装置における入力装置とマイクユニットとの音声出力ラインを介しての接続を示す図である。
【符号の説明】
【００４１】
２−１乃至２−ｎ  入力装置
１４−１乃至１４−４  マイクユニット
１６  ケーブル
３０−１乃至３０−４  可変抵抗部（電圧変化手段）
３８  ４０  ４２  比較器（判定手段）
５０  判別回路（判定手段）
【図１】
2008072657.tif 000003
【図２】
2008072657.tif 000004
【図３】
2008072657.tif 000005
【図４】
2008072657.tif 000006